(57)【特許請求の範囲】
【請求項１】
ウエットティッシュが折り畳まれ、且つ複数枚が積層されて袋状の包装体の内部に収納され、前記包装体には、前記ウエットティッシュを取り出す開口部が形成され、前記開口部を覆う蓋材が設けられているウエットティッシュ包装体において、
展開状態で長辺と短辺を有する長方形の前記ウエットティッシュの面積をＡとしたときに、前記ウエットティッシュが、前記長辺に平行な第１の折り線により面積がほぼＡ／２となるように２つ折りされ、さらに前記第１の折り線と直交し且つ前記短辺に平行な第２の折り線により２つ折りされて、面積がほぼＡ／４の４つ折り体が形成され、
予め前記４つ折り体とされたウエットティッシュが複数重ねられて前記包装体内に収納されており、
前記開口部は、包装体の上面からひとつの側面にかけて開口し、ウエットティッシュの前記第２の折り線が、前記開口部の内側に現れ、前記開口部から４つ折り体を１つずつ取り出し可能とされていることを特徴とするウエットティッシュ包装体。
【請求項２】
包装体には、袋体を封止する横シール部が設けられて、この横シール部が包装体の底面側に折り曲げられて底面に固定されており、前記蓋材は、底面に止められた前記横シール部の表面から、包装体の側面および上面にかけて巻きつけるようにして包装体の表面に粘着される請求項１記載のウエットティッシュ包装体。
【発明の詳細な説明】
【０００１】
【発明の属する技術分野】
本発明は、ウエットティッシュが収納された包装体に係り、特に、ウェットティッシュを４つ折り状態または２つ折り状態で取り出すことができるウェットティッシュ包装体に関する。
【０００２】
【従来の技術およびその課題】
乳児または幼児に対しておむつを交換する際のお尻拭きなどとして使用されるウエットティッシュは、不織布に水または薬液を含浸させたものであり、これらは袋状の包装体内に複数枚重ねられて収納されている。
【０００３】
従来のウエットティッシュは、１枚ずつが折り畳まれて、前記包装体の内部に積層されて収納されており、包装体の上面に開口する開口部から１枚ずつ取出して使用できるようになっている。
【０００４】
前記従来のウエットティッシュは、広げて使用すると、１枚構造であるため、お尻拭きとして使用するときに汚物が浸透するおそれがある。したがって、汚物を拭き取る際には、包装体から取出したウエットティッシュを一旦手で広げ、それから２つ折りや４つ折りに折り畳んで使用することになる。
【０００５】
しかし、包装体内から取出したウエットティッシュを一度広げ折り畳んでから使用するのではきわめて不便である。またこの種のウエットティッシュは小型の袋状の包装体内に収納した状態で携帯できるようにすることが好ましいが、小型の包装体内に、１枚のウエットティッシュを折り畳んで収納するためには、１枚のウエットティッシュの面積を小さくしなくてはならない。このような小さいウエットティッシュを２つ折りにして使用すると、小さくなりすぎて、汚物を拭き取るときに、汚物が手に付着しやすい。
【０００６】
一方、広い面積の１枚のウエットティッシュを、小型の包装体に合うようにコンパクトに折り畳もうとすると、きわめて複雑な多重折りとしなくてはならない。この場合には、包装体の開口部から１枚ずつ取出したときに、ウエットティッシュがくしゃくしゃになり、広げてから折り畳むという取り扱いがしずらくなる。
【０００７】
例えば特開平６−２１９４７７号公報には、１枚のティッシュがＺ状態に折られ、Ｚ折り状態のものがさらに２回折り畳まれてパッケージ内に収納され、前記パッケージにはティッシュの端折曲部が露出するように開口部が形成されたものが開示されている。
【０００８】
しかし、上記公報に記載されているものでは、前記開口部からティッシュの端折曲部をつかんで引き出した状態では、Ｚ折りから折り畳まれた形態であるため、引き出したままの状態で使用することができず、Ｚ折りを展開して広げてから使用することが必要であり、展開のための操作が面倒でありまた展開した状態で皺が生じたり、くしゃくしゃの状態になりやすい。したがって、お尻拭き用などのウエットティッシュを前記公報に記載されているようなパッケージに収納した場合には、やはり１枚の展開状態にしてから改めて２つ折りや４つ折りにして使用することが必要になる。
【０００９】
本発明は、上記従来の課題を解決するものであり、包装体から取出した時点で、４つ折り状態または２枚折り状態での使用ができ、従来のような折り畳み操作が不要になり、汚物の拭き取りなどに適するウエットティッシュ包装体を提供することを目的としている。
【００１０】
【課題を解決するための手段】
本発明は、ウエットティッシュが折り畳まれ、且つ複数枚が積層されて袋状の包装体の内部に収納され、前記包装体には、前記ウエットティッシュを取り出す開口部が形成され、前記開口部を覆う蓋材が設けられているウエットティッシュ包装体において、
展開状態で長辺と短辺を有する長方形の前記ウエットティッシュの面積をＡとしたときに、前記ウエットティッシュが、前記長辺に平行な第１の折り線により面積がほぼＡ／２となるように２つ折りされ、さらに前記第１の折り線と直交し且つ前記短辺に平行な第２の折り線により２つ折りされて、面積がほぼＡ／４の４つ折り体が形成され、
予め前記４つ折り体とされたウエットティッシュが複数重ねられて前記包装体内に収納されており、
前記開口部は、包装体の上面からひとつの側面にかけて開口し、ウエットティッシュの前記第２の折り線が、前記開口部の内側に現れ、前記開口部から４つ折り体を１つずつ取り出し可能とされていることを特徴とするものである。
【００１１】
上記本発明では、開口部に現れる第２の折り線を摘んで包装体から引き出すと、完全な４つ折り状態として取出すことができ、そのまま汚物の拭き取りなどに使用することができる。また４つ折り状態で取出した後に、第２の折り線の部分で展開すると２つ折り状態で使用できる。
【００１３】
包装体において開口部が上面から側面にかけて（さらには底面まで）開口しているため、前記第２の折り線を外部から掴みやすくなる。
【００１４】
さらに、包装体には、袋体を封止する横シール部が設けられて、この横シール部が包装体の底面側に折り曲げられて底面に固定されており、前記蓋材は、底面に止められた前記横シール部の表面から、包装体の側面および上面にかけて巻きつけるようにして包装体の表面に粘着されることが好ましい。
【００１５】
包装体に横シール部が耳状に突出していると、その近傍に開口部を形成したときに、この開口部からウエットティッシュの折り線部分を掴むのが困難である。しかし、前記横シール部を包装体の底面側に曲げておくと、ウエットティッシュを引き出すときに横シール部が邪魔にならない。また開口部は、ウエットティッシュの折り線を引き出しやすい状態に大きく開口するようになる。
【００１６】
【発明の実施の形態】
以下本発明を図面を参照しながら説明する。
図１と図２は本発明のウエットティッシュ包装体の第１の実施の形態を示す斜視図、図３はウエットティッシュ包装体の第２の実施の形態を示す斜視図、図４（Ａ）（Ｂ）（Ｃ）は、ウエットティッシュの折り畳み状態を説明する斜視図である。
【００１７】
図１に示す包装体１は、表面（外側）からポリエチレンテレフタレート（ＰＥＴ）フィルム、アルミニウム箔、いわゆるシーラントと呼ばれるヒートシール性の２軸延伸ポリプロピレン（ＣＰＰ）フィルムなどが順に積層されて、互いに接着された積層フィルムによって袋状に形成されている。または、ＰＥＴフィルムにアルミニウム、シリカまたはアルミナが蒸着されたものに、ヒートシール性のフィルムが重ねられているものでもよい。
【００１８】
前記ヒートシール性のフィルムが包装体１の内側になる方向に向けられて、積層フィルムによりウエットティッシュの４つ折り体１０が包まれる。そして、積層フィルムは縦方向にヒートシールにより接合され、且つ横方向にもヒートシールにより接合され、両側辺に横シール部２，２が耳状に突出した形状である。
【００１９】
前記袋状の包装体１は携帯用であり、その上面３および底面４はほぼ平坦面となっている。横シール部２，２の内側部分が包装体１の横側面５，５で、これと直交する面が縦側面６，６である。
【００２０】
図１に示す包装体１では、上面３から一方の横側面５にかけてフィルムが切り欠かれて開口部７が開口している。また一方の横シール部２から横側面５さらに上面３にかけて蓋材８が貼着できるように設けられている。この蓋材８はポリプロピレンなどの樹脂シートであり、その内面８ａには感圧接着剤が塗布されている。図２は蓋材８が剥がされて開口部７が露出した状態を示している。開口部７からウエットティッシュを取出した後に蓋材８を矢印方向へ閉じて包装体１の表面に粘着させると開口部７が閉じられ、内部が密閉されてウエットティッシュの乾燥が防止できる。
【００２１】
前記ウエットティッシュは、乳児や幼児のおむつの交換時におけるお尻拭きとしての使用に適したものであり、例えば、目付けが３０〜６０ｇ／ｍ2程度の厚めの不織布であり、パルプとレーヨンとから成る繊維ウエッブが湿式で形成され且つウォータジェット処理が施されたスパンレース不織布である。乾燥した不織布に水または薬液が含浸された状態で前記包装体１内に収納されている。また、ウエットティッシュの大きさは、例えば一辺が１２０〜２００ｍｍの長方形または正方形である。
【００２２】
以下、前記ウエットティッシュの折り畳み構造について説明する。
図４（Ａ）は展開した状態のウエットティッシュ１１を示している。このウエットティッシュ１１は第１の折り線Ｌ１により２つ折りされるが、この第１の折り線Ｌ１と平行な縁辺１１ｂの長さをｂ、前記第１の折り線Ｌ１と直交する縁辺１１ａの長さをａとする。また展開状態のウエットティッシュ１１の面積をＡとする。
【００２３】
前記展開状態のウエットティッシュ１１を前記第１の折り線Ｌ１により２つ折りした２つ折り体１２を図４（Ｂ）に示す。前記第１の折り線Ｌ１は、縁辺１１ａの長さａの中点に設定され、図４（Ｂ）に示す２つ折り体１２では、縁辺１１ｂと１１ｂとが完全に揃えられ、また縁辺１１ａも完全に揃えられて、２つ折りされた状態の面積はＡ／２となる。また本発明では、縁辺１１ａと１１ａおよび縁辺１１ｂと１１ｂとが若干ずれていてもよい。この場合、図４（Ｂ）に示す２つ折り体１２は、その面積がほぼＡ／２である。
【００２４】
さらに、図４（Ｂ）に示す２つ折り体１２の長辺の長さｂの中点に第２の折り線Ｌ２が設定され、この第２の折り線Ｌ２により２つ折りされる。この状態では、縁辺１１ａどうしおよび縁辺１１ｂどうしが一致しまたはほぼ一致するように折り畳まれ、図４（Ｃ）の４つ折り体１０では、側辺の長さがａ／２とｂ／２であり、面積はＡ／４またはほぼＡ／４である。
【００２５】
図１に示す包装体１では、図４（Ｃ）のように折り畳まれた４つ折り体１０が重ねられて収納されているが、各ウエットティッシュの４つ折り体１０の第２の折り線Ｌ２が開口部７に現れている。また、開口部７は包装体１の上面３から横側面５にかけて開口しているので、折り線Ｌ２の部分を掴んで開口部７からウエットティッシュを引き出しやすい状態となっている。
【００２６】
蓋材８を剥がして開口部７を開口させ、この開口部７に現れている前記第２の折り線Ｌ２の部分を掴んで引き出すと、ウエットティッシュ１１は図４（Ｃ）に示す４つ折り体１０の状態で引き出される。この４つ折り体１０のまま乳児や幼児のお尻、または老人や病人のお尻などを拭くと、ウエットティッシュを４枚重ねて汚物を拭きとることができ、汚物がウエットティッシュを浸透して手に付着するなどの問題が生じなくなる。また図４（Ｃ）で示す４つ折り体１０の状態で引き出したウエットティッシュを折り線Ｌ２の折りを展開させて使用すると、２つ折り状態で使用することもできる。
【００２７】
図２は図１に示す第１の実施の形態の変形例を示している。
図２に示す変形例では、包装体１の袋体を封止している耳である横シール部２が底面４側へ折り返されて、横シール部２が前記底面に接着されて固定され、あるいは粘着テープなどを用いて止められている。開口部７は、包装体１の上面３および横側面５から、さらに横シール部２の基端２ａまたは基端２ａの近傍にかけて開口している。また蓋材８は底面４に止められた横シール部２の表面から横側面５および上面３にかけて巻き付けるようにして粘着させるように設けられている。
【００２８】
図２に示すものでは、横シール部２が底面４に折り畳まれているため、開口部７からのウエットティッシュの取出しが横シール部２により邪魔されることがない。また、横シール部２が底面４の方向へ曲げられているため、開口部７は、４つ折り体１０の第２の折り線Ｌ２を露出させやすい向きに開口することになり、開口部７からウエットティッシュを取出しやすくなる。
【００２９】
図３は本発明の参考例となるウエットティッシュ包装体を示す斜視図である。
図３では袋状の包装体１の上面３から縦側面６にかけて開口部９が開口している。包装体１の内部には、図４（Ｃ）に示すように折り畳まれた４つ折り体１０が重ねられて収納されている。そして各４つ折り体１０の第１の折り線Ｌ１が前記開口部９に現れている。
【００３０】
図３に示す参考例では、１枚のウエットティッシュ１１において２つの第１の折り線Ｌ１が開口部９に現れている。よって、１枚のウエットティッシュ１１の２つの第１の折り線Ｌ１とＬ１を一緒に掴んで引き出すと、図４（Ｃ）に示す４つ折り体１０の状態で取出すことができ、４つ折りのまま汚物の拭き取りなどに使用できる。
【００３１】
また開口部９に現れている１つの折り線Ｌ１を掴んで引き出すと、図４（Ｂ）に示す２つ折り体１２の状態で開口部９から取出される。よって、そのままウエットティッシュを２つ折りの状態で使用することができ、４つ折りのものよりもやや広い面積で汚物の拭き取りなどを行うことができる。
【００３４】
以上のように、本発明のウエットティッシュ包装体は、包装体の開口部から掴んで引き出すと、その状態で４つ折りまたは２つ折りの状態でウエットティッシュを使用することができ、従来のように一旦広げてから２つ折りや４つ折りにする必要がない。
【００３５】
また展開状態のウエットティッシュ１１は長方形である。ただし図４（Ａ）に示す寸法の、ａとｂの差の絶対値が３０ｍｍを越える場合には、ａ＜ｂの場合に４つ折り状態で取出して使いやすい。
【００３６】
ａとｂの差の絶対値が３０ｍｍ未満の場合は、ａ＞ｂ、ａ＜ｂ、ａ＝ｂのいずれの場合も、４つ折り状態で使用しやすい。
【００３８】
【発明の効果】
以上のように、本発明では、ウエットティッシュを包装体から引き出した状態で、直ちに４つ折り状態または２つ折り状態で使用でき、包装体から引き出した後に折り畳む操作が不要である。また４つ折りまたは２つ折り状態で使用できるため、汚物処理の際に、汚物が浸透しにくくなる。
【図面の簡単な説明】
【図１】本発明のウエットティッシュ包装体の第１の実施の形態を示す斜視図、
【図２】第１の実施の形態の変形例のウエットティッシュ包装体を示す斜視図、
【図３】本発明の参考例を示す斜視図、
【図４】（Ａ）（Ｂ）（Ｃ）は、ウエットティッシュの折り畳み順序を示す斜視図、
【符号の説明】
１  包装体
２  横シール部
２ａ  横シール部の基端
３  上面
４  底面
５  横側面
６  縦側面
７，９  開口部
８  蓋材
１０  ４つ折り体
１１  ウエットティッシュ
１１ａ，１１ｂ  縁辺
１２  ２つ折り体
Ｌ１  第１の折り線
Ｌ２  第２の折り線
【図１】
0003804740.tif 000002
【図２】
0003804740.tif 000003
【図３】
0003804740.tif 000004
【図４】
0003804740.tif 000005